(57)【要約】【課題】  本発明はプリペイドカードによる精算後に伝票発行に気を取られて排出されたプリペイドカードを置き忘れてしまうことを課題とする。【解決手段】  制御回路６６は、挿入された当該カードを引き込むと共にカード情報を読み取り、当該カード情報に基づいて精算処理を行ってカード情報を精算後の情報に更新する。そして、カード情報を更新した後、カードを排出し、排出されたカードが抜き取られたことが検出されると、今回精算処理された精算情報を印字された伝票をプリンタ８２から発行する。このように、精算処理後にカード９４が排出されてカード９４の抜取りが検出されると、今回精算処理された精算情報を印字された伝票を発行するため、カード９４を取ってから伝票を取ることになり、伝票を取る際にカード９４を取り忘れることが防止される。【選択図】  図４
2005145547.tif 000002
【特許請求の範囲】
【請求項１】
カードが挿入されると、該カードを引き込むと共にカード情報を読み取る読み取り手段と、
該読み取り手段により読み取られた当該カード情報に基づいて精算処理を行う精算手段と、
前記カードに記憶されたカード情報を精算後の情報に更新するカード情報更新手段と、
前記カード情報を更新した後、前記カードを排出するカード排出手段と、を有する精算システムにおいて、
前記カード排出手段により排出されたカードが抜き取られたことを検出するカード抜き取り検出手段と、
前記カード抜き取り手段により前記カードの抜き取りが検出されたことを検出した場合に、今回精算処理された精算情報を印字された伝票を発行可能とする伝票発行手段を設けたことを特徴とする精算システム。
【請求項２】
前記請求項１記載の精算システムであって、
前記カード情報更新手段により更新されたカードのカード情報を前記読み取り手段で読み取り、当該カード情報更新手段により更新されるべきカード情報と当該読み取り手段により読み取られたカード情報との一致性を判断する判断手段と、
前記判断手段による判断の結果、前記カード情報が一致しない場合には、前記カードの排出を禁止してカード保持状態を維持するカード保持手段を備えたことを特徴とする精算システム。
【請求項３】
前記カード保持手段により保持された前記カードを排出指示するための排出指示手段を設け、
前記伝票発行手段は、前記排出指示手段により前記カードが指示された場合には前記カード情報が一致しない旨のエラー情報を印字した伝票を発行することを特徴とする請求項２記載の精算システム。
【請求項４】
カードが挿入されると、該カードを引き込むと共にカード情報を読み取る読み取り手段と、
該読み取り手段により読み取られた当該カード情報に基づいて流体の供給を行う流体供給手段と、
前記流体供給手段により供給された流体の供給量から当該流体の料金を演算する料金演算手段と、
該読み取り手段により読み取られた当該カード情報に基づいて前記料金演算手段により演算された給液料金の精算処理を行う精算手段と、
前記カードに記憶された情報を精算後の情報に更新するカード情報更新手段と、
前記カード情報を更新した後、前記カードを排出するカード排出手段と、
を有する流体供給システムにおいて、
前記カード排出手段により排出されたカードが抜き取られたことを検出するカード抜き取り検出手段と、
前記カード抜き取り手段により前記カードの抜き取りが検出されたことを検出した場合に、今回精算処理された精算情報を印字された伝票を発行可能とする伝票発行手段を設けたことを特徴とする流体供給システム。
【発明の詳細な説明】
【技術分野】
【０００１】
本発明はカード決済で精算した際に伝票の発行、及びカード情報が更新されたカードを排出するように構成された精算システム及び精算システムを用いた流体供給システムに関する。
【背景技術】
【０００２】
例えば、ガソリンや軽油等の油液を車両の燃料タンクに供給した後の料金を精算する場合を例に挙げて以下説明する。
【０００３】
給液所等では、車両への給液が終了すると、現金またはクレジットカードによる精算方法で給液料金を精算している。また、セルフサービス方式の燃料供給装置が設置された給液所では、給液開始前に給液する液種を選択し、且つ支払い方法を選択して現金またはクランプあるいはプリペイドカードをカードリーダに挿入することによりカードに記憶されたカード情報が読み取られて給液が可能になる（例えば、特許文献１参照）。
【０００４】
例えば、この特許文献１のものは、燃料を給液するときカードリーダ／ライタによってプリペイドカードに記録されている前回の残高情報などが読取られる。キーボードからその顧客の車番を入力し、計量機を選択して給液を行ない、給液が完了したとき、プリペイドカードの残高から今回の給液による金額を引落し、精算後の残高をプリペイドカードに記録するとともに、給液量や今回残高などのデータとともに、その顧客の車番をプリンタによって給液伝票に印字して発行するとともに、プリペイドカードをカードリーダ／ライタから排出するように構成されている。
【特許文献１】特開平５−１２５６７号公報
【発明の開示】
【発明が解決しようとする課題】
【０００５】
上記従来の精算システムでは、給液が終了して精算処理が行われると、給液量や料金やカード残高などを印字した伝票を発行すると共に、精算後の残高が更新されたカードを返却するため、例えば、顧客が伝票発行に気を取られてカードが返却されたことを見落としてしまうことがあり、特に顧客が急いでいる場合には、伝票を取ったときにカードを引き抜くのを忘れてしまうことがある。
【０００６】
そこで、本発明は上記課題を解決した精算システム及び精算システムを用いた流体供給システムを提供することを目的とする。
【課題を解決するための手段】
【０００７】
請求項１の発明は、カードが挿入されると、該カードを引き込むと共にカード情報を読み取る読み取り手段と、
該読み取り手段により読み取られた当該カード情報に基づいて精算処理を行う精算手段と、
前記カードに記憶されたカード情報を精算後の情報に更新するカード情報更新手段と、
前記カード情報を更新した後、前記カードを排出するカード排出手段と、を有する精算システムにおいて、
前記カード排出手段により排出されたカードが抜き取られたことを検出するカード抜き取り検出手段と、
前記カード抜き取り手段により前記カードの抜き取りが検出されたことを検出した場合に、今回精算処理された精算情報を印字された伝票を発行可能とする伝票発行手段を設けたことを特徴とする。
【０００８】
請求項２の発明は、前記請求項１記載の精算システムであって、
前記カード情報更新手段により更新されたカードのカード情報を前記読み取り手段で読み取り、当該カード情報更新手段により更新されるべきカード情報と当該読み取り手段により読み取られたカード情報との一致性を判断する判断手段と、
前記判断手段による判断の結果、前記カード情報が一致しない場合には、前記カードの排出を禁止してカード保持状態を維持するカード保持手段を備えたことを特徴とする。
【０００９】
請求項３の発明は、前記カード保持手段により保持された前記カードを排出指示するための排出指示手段を設け、
前記伝票発行手段は、前記排出指示手段により前記カードが指示された場合には前記カード情報が一致しない旨のエラー情報を印字した伝票を発行することを特徴とする。
【００１０】
請求項４の発明は、カードが挿入されると、該カードを引き込むと共にカード情報を読み取る読み取り手段と、
該読み取り手段により読み取られた当該カード情報に基づいて流体の供給を行う流体供給手段と、
前記流体供給手段により供給された流体の供給量から当該流体の料金を演算する料金演算手段と、
該読み取り手段により読み取られた当該カード情報に基づいて前記料金演算手段により演算された給液料金の精算処理を行う精算手段と、
前記カードに記憶された情報を精算後の情報に更新するカード情報更新手段と、
前記カード情報を更新した後、前記カードを排出するカード排出手段と、
を有する流体供給システムにおいて、
前記カード排出手段により排出されたカードが抜き取られたことを検出するカード抜き取り検出手段と、
前記カード抜き取り手段により前記カードの抜き取りが検出されたことを検出した場合に、今回精算処理された精算情報を印字された伝票を発行可能とする伝票発行手段を設けたことを特徴とする。
【発明の効果】
【００１１】
請求項１の発明によれば、カードの抜き取りが検出されたことを検出した場合に、今回精算処理された精算情報を印字された伝票を発行可能とするため、カードを取ってから伝票を取ることになり、伝票を取る際にカードを取り忘れることが防止される。
【００１２】
請求項２の発明によれば、カード情報が一致しない場合には、カードの排出を禁止してカード保持状態を維持するため、エラーとなったカードの使用を防止できる。
【００１３】
請求項３の発明によれば、排出指示手段によりカードが指示された場合にはカード情報が一致しない旨のエラー情報を印字した伝票を発行することにより、カードのエラー情報を確認することが可能になる。
【００１４】
請求項４の発明によれば、カードの抜き取りが検出されたことを検出した場合に、今回精算処理された精算情報を印字された伝票を発行可能とするため、カードを取ってから伝票を取ることになり、伝票を取る際にカードを取り忘れることが防止される。
【発明を実施するための最良の形態】
【００１５】
以下、図面と共に本発明の一実施例について説明する。
【実施例】
【００１６】
図１は本発明になる精算システムの一実施例が適用された給液システムの構成図である。
図１に示されるように、流体供給システムとしての給液システム１０は、給液エリア１２に設置された釣り銭機１４と、複数の燃料供給装置１６（１６１〜１６ｎ）と、事務所１８内に設置されたＰＯＳ本体２０と、ＰＯＳ本体２０に接続された記憶装置２２とを有する。釣り銭機１４は、釣り銭を支払うための装置であり、係員の釣り銭補充作業を容易にするため、事務所の近傍に設けられている。
【００１７】
燃料供給装置１６は、セルフサービス給液方式の計量機２４と、計量機２４に搭載された設定器２６と、料金をその場で精算するための自動支払機２８とを有する。また、釣り銭機１４及び複数の燃料供給装置１６（１６１〜１６ｎ）は、通信回線（例えば、ＳＳ−ＬＡＮ）３０を介してＰＯＳ本体２０と接続されている。
【００１８】
また、給液エリア１２には、燃料供給装置１６（１６１〜１６ｎ）の周辺を監視するための監視カメラ３２１〜３２ｎが設けられている。監視カメラ３２１〜３２ｎは、カメラ分割ユニット３４に接続されており、監視カメラ３２１〜３２ｎにより撮像された画像はカメラ分割ユニット３４を介して監視モニタ３６に転送される。監視モニタ３６は、監視カメラ３２１〜３２ｎにより撮像された複数の画像を同時に分割表示する。
【００１９】
図２は燃料供給装置１６の正面図である。
図２に示されるように、燃料供給装置１６は、セルフサービス方式の計量機２４からなり、設定操作部３８と、設定操作部３８の両側に起立する支柱４０，４２と、上部に横架されたホース支持部４４とを有する。
【００２０】
計量機２４の内部には、後述する各給液系統の電磁弁と、給液ポンプと、流量計などの各機器が設けられている。
【００２１】
設定操作部３８には、静電気除去シート４６と、静電気除去シート４６の右側に配置された設定器２６と、自動支払機２８と、インタホン４８とが設けられている。設定器２６は、液晶モニタなどからなるタッチパネル４９を有し、タッチパネル４９に表示された設定入力画面に触れることで油種（軽油、レギュラーガソリン、ハイオクガソリン）を選択、給液量の入力操作などを行える。また、設定器２６の上方に配置されて人検知センサ５０が設けられており、人検知センサ５０がオンになると、顧客が設定器２６の前にいるものと判断して、タッチパネル４９に設定入力画面が表示される。
【００２２】
また、人検知センサ５０としては、例えば、光センサあるいはイメージセンサなどを用いたものであり、給液操作を行う操作者が設定器２６の前に立ったことを検知してその検知信号を出力する。
【００２３】
自動支払機２８は、紙幣挿入部５２と、カード挿入部５４と、レシート発行部５６とを有する。紙幣挿入部５２は、挿入された紙幣の種別（千円札、２千円札、５千円札、一万円札）を鑑別する鑑別機能を有しており、顧客が挿入した紙幣の金額を設定器２６に表示させる。
【００２４】
カード挿入部５４は、給液所が発行したプリペイドカード、あるいはクレジットカードを挿入されると、カードに記憶されたカード情報を読み取り、給液が可能かどうかをタッチパネル４９に表示させる。尚、カード情報としては、カード発行元番号、カード登録番号、カードの種別、残高（プリペイドカードの場合）などのデータが記憶されている。
【００２５】
レシート発行部５６は、給液が終了すると、液種、給液量、給液金額、消費税、合計金額などの給液情報を記載したレシート（伝票）を発行する。すなわち、レシート発行部５６は、釣り銭額を除いた情報が記載されたレシートを発行する。
【００２６】
また、計量機２４の前面パネル５８には、給液ノズル６０を掛止するノズル掛け６２が３箇所に設けられている。給液ノズル６０は、ホース支持部４４から吊り下げられた給液ホース６４が連通接続されている。
【００２７】
図３は燃料供給装置１６の各機器の構成を示すブロック図である。
図３に示されるように、燃料供給装置１６のコンピュータからなる制御回路６６には、各給液経路に設けられた電磁弁６８、給液ポンプ７０、流量計７２、メモリ８０と、人検知センサ５０、ノズル掛け６２に設けられたノズルスイッチ７４、自動支払機２８に設けられた紙幣鑑別部７６、設定器２６、カード挿入部５４に設けられたカードＲ／Ｗ（カード情報読み取り部）７８、インタホン４８、レシート発行部５６に設けられたプリンタ８２、スピーカ８３、カード駆動モータ８４が接続されている。また、タッチパネル４９には、顧客が検出されると、カード選択釦４９ａが表示されており、顧客はカード挿入前にカード選択釦４９ａに触れることで、プリペイドカード、クレジットカードの何れかを選択する。
【００２８】
また、制御回路６６には、カード情報の更新処理が正常に行われない場合に給液所の係員が操作して通常モードから異常モードに切り換えるモード切換スイッチ８５と、カード情報の更新処理が正常に行われない場合にカードＲ／Ｗ７８に保持された当該カードを排出させるためのカード排出スイッチ８６とが接続されている。尚、モード切換スイッチ８５及びカード排出スイッチ８６は、顧客が勝手に操作できないように、給液所の係員が所持するキーにより、スイッチ収納部（図示せず）の蓋を開錠することにより操作可能になる。
【００２９】
さらに、制御回路６６には、カードを検出する発光素子９８を発光するカードセンサ回路１０２と、受光素子１００からの検出信号によりカードの有無を判別するカード判別回路１０４とが接続されている。
【００３０】
カード駆動モータ８４は、後述するカード搬送用ローラ９２，９３を回転駆動する駆動手段であり、カード挿入時は、カード搬送用ローラ９２，９３をカード引き込み方向に回転駆動し、カード排出時はカード搬送用ローラ９２，９３を逆回転させてカード排出方向に回転駆動する。
【００３１】
メモリ８０には、挿入された当該カードを引き込むと共にカード情報を読み取る制御プログラム（読み取り手段）と、当該カード情報に基づいて精算処理を行う制御プログラム（精算手段）と、カードに記憶された情報を精算後の情報に更新する制御プログラム（カード情報更新手段）と、カード情報を更新した後、カードを排出する制御プログラム（カード排出手段）と、排出されたカードが抜き取られたことを検出する制御プログラム（カード抜き取り検出手段）と、カードの抜き取りが検出されたことを検出した場合に、今回精算処理された精算情報を印字された伝票を発行可能とする制御プログラム（伝票発行手段）とが格納されている。
【００３２】
また、制御回路６６は、メモリ８０に格納された制御プログラムに基づいて、カード情報が正常に更新されたかどうかを判別するカード判別手段６６Ａと、カード情報が正常に更新されなかった場合にカード排出を禁止するカード保持手段６６Ｂと、カード排出動作後にカードが引き抜かれない場合に報知するカード抜き忘れ報知手段６６Ｃと、カード情報が正常に更新されなかった場合に異常発生を報知する異常報知手段６６Ｄとを有する。
【００３３】
図４はカード挿入部５４の概略構成を示す図である。
図４に示されるように、カード挿入部５４は、例えば、料金先払い方式のプリペイドカード（以下「カード」と言う）９４が挿入されるカード挿入口９０を有する。尚、プリペイドカード９４は、例えば、磁気記録方式の磁気カードからなる。そのため、カード挿入部５４のカードＲ／Ｗ７８は、磁気ヘッド９６を有する。
【００３４】
さらに、カード挿入部５４は、カード挿入口９０の内側にカード駆動モータ８４により回転駆動されるカード搬送用ローラ９２，９３が設けられており、カード挿入時はカード搬送用ローラ９２，９３の回転駆動によりカード９４が引き込まれ、カード返却時はカード搬送用ローラ９２，９３の逆回転駆動によりカード９４をカード挿入口９０へ排出する。
【００３５】
磁気ヘッド９６は、挿入されたカード９４の磁気記憶部に記憶されたカード情報を読み取り、その読み取ったカード情報の磁気信号を出力する。磁気ヘッド９６により読み取られた磁気信号は、磁気ヘッドリード・ライト回路１０６によって制御回路６６に入力される。
【００３６】
そして、制御回路６６は、後述するように、カード９４へのカード情報の更新が行われた後、カード搬送用ローラ９２，９３の逆回転駆動するようにカード駆動モータ８４を駆動制御し、カード９４を排出する。カード９４は、その半分がカード挿入口９０から突出された状態で停止しており、その後、顧客が引き抜くことによりカード挿入口９０から取り出される。
【００３７】
カード挿入口９０には、発光素子９８と受光素子１００とが対向するように設けられている。カード９４がカード挿入口９０に挿入または排出された状態のときは、発光素子９８からの光がカード９４によって遮断されて受光素子１００の出力がＬレベルに低下する。そして、カード９４がカード挿入口９０から引き抜かれると、発光素子９８からの光が受光素子１００に受光されるため、受光素子１００の出力がＨレベルに変化する。
【００３８】
従って、発光素子９８、受光素子１００、カードセンサ回路１０２、カード判別回路１０４によりカード抜き取り検出手段が構成されている。
【００３９】
ここで、燃料供給装置１６の制御回路６６が実行する制御処理について図５及び図６を参照して説明する。
【００４０】
図５に示されるように、制御回路６６は、Ｓ１１において、人検知センサ５０がオンかどうかをチェックする。人検知センサ５０がオンになると、顧客が設定器２６の前にいるものと判断して、Ｓ１２に進み、設定器２６のタッチパネル４９にカード選択釦４９ａを表示する。
【００４１】
次のＳ１３では、例えば、顧客がプリペイドカードのカード選択釦４９ａに触れた場合、カード９４をカード挿入口９０に挿入する。次のＳ１４でカード挿入口９０に設けられた発光素子９８、受光素子１００からなる光センサによってカード挿入が確認されると、カード搬送用ローラ９２，９３を回転駆動してカード９４を引き込むと共に、磁気ヘッド９６によりカード９４に記憶されたカード情報を読み取る。
【００４２】
Ｓ１５に進み、カードＲ／Ｗ７８によりカード９４から読み取られたカード情報が正しいかどうかを確認する。Ｓ１５において、カード９４のカード情報が正しくない場合には、認証ＮＧとなり、Ｓ１６に進み、カード駆動モータ８４がカード搬送用ローラ９２，９３を逆方向に回転駆動してカードＲ／Ｗ７８に挿入されたプリペイドカードをカード挿入口９０へ排出させる。
【００４３】
また、Ｓ１５において、カード９４のカード情報が正しい場合には、認証ＯＫとなり、Ｓ１７に進む。Ｓ１７で、読み取られた当該カード情報に基づいて当該給液ポイントでの給液を許可する（給液許可手段）と共に、タッチパネル４９に表示された設定画面の操作により給液すべき液種、給液量が設定されると、Ｓ１８に進み、車両に搭載された燃料タンクへの給液処理が行われる。
【００４４】
次のＳ１９では、給液が終了すると、給液された給液料金を演算し、カード９４のカード情報を更新してカード９４をカード挿入口９０へ排出させる（カード排出手段）。これにより、カード９４のカード情報には、今回の給液料金を減算した残高が記憶される。
【００４５】
続いて、Ｓ２０に進み、カード９４がカード挿入口９０から引き抜かれたかどうかを確認する（カード抜き取り検出手段）。Ｓ２０において、発光素子９８からの光が受光素子１００で受光されない場合は、カード９４がカード挿入口９０にあるものと判断してＳ２１に進む。Ｓ２１では、予め設定された一定時間が経過したかどうかを確認する。
【００４６】
一定時間が経過する間に発光素子９８からの光が受光素子１００で受光されると、カード９４がカード挿入口９０から引き抜かれたものと判断してＳ２３に進む。また、Ｓ２１において、一定時間が経過しても発光素子９８からの光が受光素子１００で受光されない場合は、Ｓ２２に進み、例えば、タッチパネル４９にカード抜き忘れのメッセージを表示したり、スピーカ８３よりカード抜き忘れを音声で報知する。
【００４７】
Ｓ２３では、カード９４がカード挿入口９０から引き抜かれたことが確認されたため、カード抜き忘れ報知を停止する。続いて、Ｓ２４に進み、伝票出力画面をタッチパネル４９に表示する。
【００４８】
次のＳ２５では、タッチパネル４９に表示された伝票発行釦（図示せず）がオンに操作されたかどうかを確認する。Ｓ２５において、伝票発行釦（図示せず）がオンに操作されないときは、Ｓ２６に進み、予め設定された一定時間が経過したかどうかを確認する。一定時間が経過する間に伝票発行釦（図示せず）がオンに操作されたときは、Ｓ２７に進み、プリンタ８２より伝票を発行する（伝票発行手段）。また、Ｓ２６において、一定時間が経過したときは、今回の処理を終了する。
【００４９】
このように、精算処理後にカード９４が排出されてカード９４の抜取りが検出されると、今回精算処理された精算情報を印字された伝票を発行するため、カード９４を取ってから伝票を取ることになり、伝票を取る際にカード９４を取り忘れることが防止される。
【００５０】
ここで、上記Ｓ１９のカード排出処理について説明する。
図６はＳ１９のカード排出処理を詳細に説明するためのフローチャートである。
【００５１】
図６に示されるように、Ｓ３１では、給液量を積算して給液料金を演算する（料金演算手段）と共に、当該プリペイドカードから読み取ったカード情報の中の前払い金額から今回の給液料金を差し引いた残高を求める（精算手段）。次のＳ３２では、演算された残高をカード９４のカード情報として書き込む（カード情報更新手段）。続いて、Ｓ３３に進み、カード９４に書き込んだ残高を読み込む。
【００５２】
そして、Ｓ３４に進み、カード９４に書き込んだ金額とカード９４から読み込んだ金額が等しいかどうかを確認する。Ｓ３４において、カード９４に書き込んだ金額とカード９４から読み込んだ金額が等しいときは、カード９４のカード情報が正常に更新されたため、Ｓ３５に進み、カード駆動モータ８４がカード搬送用ローラ９２，９３を逆方向に回転駆動してカードＲ／Ｗ７８に挿入されたカード９４をカード挿入口９０へ排出させる。
【００５３】
また、上記Ｓ３４において、カード９４に書き込んだ金額とカード９４から読み込んだ金額が等しくない場合には、Ｓ３６に進み、当該カードの書き込みエラーが発生したことをタッチパネル４９に表示したり、あるいはスピーカ８３より音声で報知する。
【００５４】
続いて、Ｓ３７で、上記のようにカード情報の更新処理が正常に行われない場合には、カード排出を禁止、挿入されたカード９４をカードＲ／Ｗ７８に保持する。そのため、カード情報の更新を失敗した場合、カード９４を排出せずにカードＲ／Ｗ７８に保持するため、エラーとなったカードの使用を防止できる。そして、顧客に呼び出された給液所の係員は、モード切換スイッチ８５を操作して通常モードから異常モードに切り換える。
【００５５】
給液所の係員がカード排出スイッチ８６をオンに操作することで、制御回路６６は、カードＲ／Ｗ７８に保持された当該カードを排出させる。従って、Ｓ３７でモード切換スイッチ８５及びカード排出スイッチ８６がオンに操作された場合には、Ｓ３８に進み、書込みエラー報知を停止させる。
【００５６】
次のＳ３９では、カード排出スイッチ８６からの信号によりカード駆動モータ８４がカード搬送用ローラ９２，９３を逆方向に回転駆動してカードＲ／Ｗ７８に挿入されたカード９４をカード挿入口９０へ排出させる。その後、Ｓ４０に進み、プリンタ８２により当該カードの登録番号等のカード情報と共に、カードエラーとなったことを印字したカードエラー報告書（図示せず）を発行する。このように、カード情報の更新を失敗した場合のエラー情報を印字した紙を発行することにより、カードのエラー情報を確認することが可能になる。
【００５７】
そして、給液所の係員は、排出された当該カード９４とカードエラー報告書を持って給液所の事務所に移動し、カードエラー報告書に記載されたカード情報を記憶させた新規のプリペイドカードを作成して顧客に渡す。このように、カードエラーが発生してカード情報を正常に更新できない場合は、給液所の係員がエラーになったカードの排出及び新規カードの発行を行って顧客に迷惑がかからないようにする。
【産業上の利用可能性】
【００５８】
尚、上記実施例では、給液所で給液料金を精算する場合について説明したが、これ以外の業種、例えば、一般の商店などでもプリペイドカードによる精算を行う場合に本発明を適用できるのは勿論である。
【００５９】
上記実施例では、セルフサービス方式の燃料供給装置を一例として挙げたが、これに限らず、給液所の係員が給液操作を行う場合にも適用できるのは勿論である。
【００６０】
また、上記実施例では、ガソリンや軽油等の油液を車両の燃料タンクに給液する場合を一例として挙げたが、これに限らず、油液以外の燃料（例えば、燃料電池車で消費される水素、あるいはＬＰＧ車やＣＮＧ車などで燃料として消費されるガス等）や飲料水や化学薬品等を供給する流体供給装置にも適用できるのは勿論である。
【図面の簡単な説明】
【００６１】
【図１】本発明になる精算システムの一実施例が適用された給液システムの構成図である。
【図２】燃料供給装置１６の正面図である。
【図３】燃料供給装置１６の各機器の構成を示すブロック図である。
【図４】カード挿入部５４の概略構成を示す図である。
【図５】制御回路６６が実行する制御処理を説明するためのフローチャートである。
【図６】図５の処理に続いて制御回路６６が実行する制御処理を説明するためのフローチャートである。
【符号の説明】
【００６２】
１０  給液システム
１６（１６１〜１６ｎ）  燃料供給装置
２０  ＰＯＳ本体
２４  計量機
２６  設定器
２８  自動支払機
３０  通信回線
３８  操作部
４９  タッチパネル
５４  カード挿入部
６２  ノズル掛け
６０  給液ノズル
６６  制御回路
７８  カードＲ／Ｗ
８０  メモリ
８３  スピーカ
８４  カード駆動モータ
８５  モード切換スイッチ
８６  カード排出スイッチ
９２，９３  カード搬送用ローラ
９６  磁気ヘッド
９８  発光素子
１００  受光素子
１０２  カードセンサ回路
１０４  カード判別回路
【図１】
2005145547.tif 000003
【図２】
2005145547.tif 000004
【図３】
2005145547.tif 000005
【図４】
2005145547.tif 000006
【図５】
2005145547.tif 000007
【図６】
2005145547.tif 000008